(57)【特許請求の範囲】
【請求項１】
中央部に上方に向かって垂直な支柱体を突設している円盤形状の底板と、この底板上に取り外し可能に被せるカバーとからなるディスク収納ケース内に、その中心孔を上記支柱体に挿通させた状態で上記底板上に積層されている複数枚の記録されたディスクの索引用ラベルであって、上記支持棒に挿通させる係合孔を設けているラベル主体の端部に、上記ディスクの外周端面から外方に突出してディスクの積層方向に折り曲げ可能な索引片部を設けていると共にこの索引片部の基端一側部に、隣接するラベル主体の索引片部における他側端面に係合させる切欠係止部を設けていることを特徴とする積層ディスクの索引用ラベル。
【請求項２】
ラベル主体はディスクの半径方向に長い長方形状の紙片からなり、その長さ方向の一端部を基端部として該基端部に係合孔を設けていると共に先端部に索引片部を設けてあり、さらに、ディスクの外周端面から突出するこの索引片部の基端両側端部に、隣接するラベル主体の対向側端部同士を互いに係脱自在に係合させる切欠係止部を設けていることを特徴とする請求項１に記載の積層ディスクの索引用ラベル。
【請求項３】
ラベル主体はディスクと同大、同形の円形シートからなり、その中心部に係合孔を設けていると共に外周端の一部分に索引片部を設けてあり、さらに、ディスクの外周端面から突出するこの索引片部の基端両側端部に、隣接するラベル主体の対向側端部同士を互いに係脱自在に係合させる切欠係止部を設けていることを特徴とする請求項１に記載の積層ディスクの索引用ラベル。
【請求項４】
ラベル主体の索引片部を横幅が３０ｍｍ程度の横長長方形状に形成していると共に、切欠係止部を介して折り曲げた際の縦幅をディスクの厚みの１０倍程度に形成していることを特徴とする請求項１、請求項２又は請求項３に記載の積層ディスクの索引用ラベル。
【発明の詳細な説明】
【技術分野】
【０００１】
本発明は、ディスク収納ケース内に積層状態で収納、保管されている記録された複数枚のディスクに対して、各ディスクの記録内容等の整理番号や見出しなどを記入しておくことにより、ディスクが積層状態で収納されているにもかかわらず、外部から一目で所望のディスクを検索することができる積層ディスクの索引用ラベルに関するものである。
【背景技術】
【０００２】
従来から、コンパクトディスク（ＣＤーＲ）やディジタルビデオディスク（ＤＶＤ）などのディスクを複数枚、積層状態で収納するケースとしては、例えば特許文献１に記載されているように、ディスクよりも大径の円盤形状の底板の中央部にディスクの中心孔（チャッキングホール）よりも小径の一定長さの支柱体を上方に向かって突設していると共に底板上に積層された複数枚のディスク上に被せて上記底板、或いは支柱の上端に取り外し可能に取りつける透明な截頭円錐形状のカバーを備えた構造のものが広く知られているが、記録された複数枚のディスクをこの収納ケース内に積層状態で収納している場合には、最上層のディスクを除く他のディスクはその外周端面のみを外部に露出させた状態となっているため、この薄いディスクの外周端面に各ディスクに記録された音楽や映像等の情報を認識できる索引シール等を貼着することが困難であり、従って、情報を記録していない面にタイトルや見出しなどを印刷或いは手書き等によって表示しているのが現状である。  
【０００３】
一方、情報を磁気記録するフロッピィディスクにおいては、特許文献２に記載されているように、一枚のフロッピィディスクを収納した偏平な矩形状ホルダーに、該フロッピィディスクに記録した情報等を表示する見出部を外部に向かって突設し、このホルダーを複数枚、積層した状態で収納するように構成したケースが知られている。
【特許文献１】特開平１１−３４９０８４号公報
【特許文献２】特開平４−２５３６７８号公報
【発明の開示】
【発明が解決しようとする課題】
【０００４】
コンパクトディスク等のディスクを積層状態で収納している前者のケースにおいては、所望の情報を記録しているディスクを検索するには、外部から直接そのディスクを確認することができないために、積層しているディスクを最上層側から一枚宛、捲り上げてその上面に記載している見出しなどを順次、確認しながら探し出す必要があり、その操作に著しい手間を要すると共に、例え、複数枚のディスクが、記録されているそれぞれの情報を順序よく整理された状態で順次積層されていても、その整理状態を外部から一目で認識することができないといった問題点がある。
【０００５】
一方、後者のように、ディスクを収納するホルダーに見出部を設けている場合には、ホルダーからディスクを取り出すことなく外部から直接、所望のディスクを探し出すことができるが、ディスクをホルダーに収納しているために嵩張りが生じてケース内に収納できるディスクの数が少なくなるばかりでなく、別にホルダーを必要とするために、コスト高になって不経済である。
【０００６】
従って、前者のディスク収納ケースのように、書き込み前のブランクのディスクを複数枚、積層状態で収納しておき、各ディスクに情報を記録したのち、これらのディスクを再び、この収納ケース内に積層状態で保管しておくことが望ましいが、外部から直接、所望のディスクを検索することができるように、ディスクの外周部に索引用のラベルや紙片を貼着して該ディスクから突出させておくことは使用上できないといった問題点がある。
【０００７】
本発明はこのような問題点に鑑みてなされたもので、その目的とするところは、市販のケースの底板上に積層され且つその中心孔を底板の中央部から突設している支柱体に挿通、保持された状態で該ケース内に収納されているディスクに対して、各ディスクに記録されている情報等を整理した番号や見出しなどの記載事項を外部から容易に検索し得るようにすることができる積層ディスクの索引用ラベルを提供するにある。
【課題を解決するための手段】
【０００８】
上記目的を達成するために本発明の積層ディスクの索引用ラベルは、請求項１に記載したように、中央部に上方に向かって垂直な支柱体を突設している円盤形状の底板と、この底板上に取り外し可能に被せるカバーとからなるディスク収納ケース内に、その中心孔を上記支柱体に挿通させた状態で上記底板上に積層されている複数枚の記録されたディスクの索引用ラベルであって、上記支持棒に挿通させる係合孔を設けているラベル主体の端部に、上記ディスクの外周端面から外方に突出してディスクの積層方向に折り曲げ可能な索引片部を設けていると共にこの索引片部の基端一側部に、隣接するラベル主体の索引片部における他側端面に係合させる切欠係止部を設けてなる構造を有している。
【０００９】
このように構成した積層ディスクの索引用ラベルにおいて、請求項２に係る発明は、ラベル主体はディスクの半径方向に長い長方形状の紙片からなり、その長さ方向の一端部を基端部として該基端部に係合孔を設けていると共に先端部に索引片部を設けてあり、さらに、ディスクの外周端面から突出するこの索引片部の基端両側端部に、隣接するラベル主体の対向側端部同士を互いに係脱自在に係合させる切欠係止部を設けてなる構造としている。
【００１０】
一方、請求項３に係る発明は、ラベル主体はディスクと同大、同形の円形シートからなり、その中心部に係合孔を設けていると共に外周端の一部分に索引片部を設けてあり、さらに、ディスクの外周端面から突出するこの索引片部の基端両側端部に、隣接するラベル主体の対向側端部同士を互いに係脱自在に係合させる切欠係止部を設けてなる構造としている。
【００１１】
また、上記請求項１、請求項２又は請求項３に係る発明において、請求項４に係る発明は、ラベル主体の索引片部を横幅が３０ｍｍ程度の横長長方形状に形成していると共に、切欠係止部を介して折り曲げた際の縦幅をディスクの厚みの１０倍程度に形成していることを特徴としている。
【発明の効果】
【００１２】
請求項１に係る発明によれば、索引用ラベルにおけるラベル主体に、ディスクを積層状態で収納するケースの底板の中央部に突設した垂直な支柱体に取り外し可能に挿通させる係合孔を設けていると共に、ディスクの外周端から突出する端部を索引片部に形成しているので、情報を記録したディスクを、その中心に設けている孔をケースの底板上に突設した支柱体に上方から挿通させて底板上に積載しているディスク上に既に整理番号等を記載している索引用ラベルを介して重ね合わせる一方、新たな索引用ラベルの先端索引片部に、このディスクに記録された情報等の整理番号や検索用、見出し用の語句、記号等の事項を記入し、この索引ラベルの基端部に設けている係合孔を上記収納ケースの支柱体に挿通させて上記ディスク上に載置することにより、その索引片部を自動的に且つ正確にこのディスクの外周面から突出した状態にすることができ、この状態にして該索引片部をディスクの外周端面に沿うように上下方向に折り曲げることにより、その索引片部に記載した整理番号や検索用語句等の記載事項を外方に向けて明確に表示させることができ、所望のディスクをケースから取り出すことなく一目で検索することができる。
【００１３】
さらに、情報を記録しているディスクと、このディスクに記録された情報の検索用語句等を索引片部に記入した索引用ラベルとを上記のように、ケースの底板上の支柱に沿って順次複数枚、積載した状態においては、ラベル主体は上下に隣接したディスク間に挟持され且つその基端部に設けている係合孔をケースの上記支柱体に挿通、係止させているのでディスク間から抜け出たりする虞れはなく、その先端の索引片部を正確に外部に向かって表示させておくことができると共に、各索引片部の基端一側部に隣接するラベル主体の索引片部における他側端面に係合させる切欠係止部を設けているので、各索引用ラベルはその係合孔を挿通状態で係止させている支柱体を中心として、ディスク面に摺接させながら水平方向に回動させることにより上下に隣接する索引片部を互いにその対向側端面を突き合わせ状に係合させた状態で周方向に並設することができ、従って、情報を記録している全てのディスクに対して該ディスク上に配設した索引用ラベルの索引片部を周方向に順次、並列させた状態にして外部からディスクの検索が簡単且つ確実に行えるように構成することができる。
【００１４】
その上、ラベル主体を薄い紙片によって形成しておくことが可能であるので、複数枚のディスクを嵩張ることなく且つディスクを傷付けたりすることなくケース内に積層しておくことができるのは勿論、情報を記録している所望のディスクを収納ケースから取り出す際には、このディスク上に配設している該ディスクの索引用ラベルから上方に積載しているディスクをケースの支柱体に沿って上方に抜き取ることによって簡単に目的とするディスクを最上層に現出させることができ、この状態にして索引用ラベルと共に該ディスクをケースから容易に取り出すことができる。さらに、上方を記録したディスクの収納は、上記構成を有する市販のケースを再利用することによってコンパクトに収納しておくことができ、ディスクの整理の簡易化を図ることができる。
【００１５】
また、請求項２に係る発明によれば、上記ラベル主体はディスクの半径方向に長い長方形状の紙片からなり、その長さ方向の一端部を基端部として該基端部に係合孔を設けていると共に先端部に索引片部を設けてあり、さらに、ディスクの外周端面から突出するこの索引片部の基端両側端部に、隣接するラベル主体の対向側端部同士を互いに係脱自在に係合させる切欠係止部を設けているので、長方形状の紙片からなるラベル主体は取り扱いが容易でその基端部に設けている係合孔を簡単にケースの支柱体に嵌め込むことがてきてディスク上に対する配設が容易に行えると共に、上下に隣接するディスク上にそれぞれ配設した上下索引用ラベルにおけるディスクから突出した索引片部を、互いにその対向側端面に設けている切欠係止部を係合させることによって、上側の索引用ラベルの索引片部によって下側の索引用ラベルの索引片部が不測に被覆されるのを確実に防止して全ての索引用ラベルの索引片部を積層ディスクの外周面に沿って周方向に正確に且つ整然と並設させることができ、検索が容易に且つ正確に行うことができる。
【００１６】
請求項３に係る発明によれば、上記ラベル主体をディスクと同大、同形の円形シートからなるので、その中心部に設けている係合孔をケースの支柱体に嵌め込むことによってケース内に積層した各ディスクの表面を全面的に保護してディスクの表面に傷や汚れが生じるのを防止することができるものであり、さらに、その外周端の一部分に索引片部を設けていて、ディスクの外周端面から突出するこの索引片部の基端両側端部に、隣接するラベル主体の対向側端部同士を互いに係脱自在に係合させる切欠係止部を設けているので、上記請求項２に記載した索引用ラベルと同様に、互いにその対向側端面に設けている切欠係止部を係合させることによって、上側の索引用ラベルの索引片部によって下側の索引用ラベルの索引片部が不測に被覆されるのを確実に防止して全ての索引用ラベルの索引片部を積層ディスクの外周面に沿って周方向に正確に且つ整然と並設させることができ、検索が容易に且つ正確に行うことができる。
【００１７】
また、請求項４に係る発明によれば、上記請求項１〜３に記載のラベル主体の索引片部を横幅が３０ｍｍ程度の横長長方形状に形成していると共に、切欠係止部を介して折り曲げた際の縦幅をディスクの厚みの１０倍程度に形成しているので、ケース内に積層している各ディスク上に配設した索引用ラベルを、対向する切欠係止部を噛み合わせるように係合させながら順次周方向に並設していくと、周方向に隣接する索引用ラベルの索引片部間が一枚の厚みに相当する高さだけ順次、緩やかに段状に変位しながら螺旋を描くように上昇し、互いに周方向に係合した複数の索引片部がディスクを一周すると、ディスクの厚みが１mmであって直径が12cmであるから、次に積載されるディスク上の索引用ラベルにおける索引片部はその上下幅以上に相当する高さだけ上方に位置した状態にすることができる。  
【００１８】
従って、ケース内に数十枚、或いはそれ以上の多数の記録されたディスクを積層状態で収納しても、各ディスク上に配設している索引用ラベルの索引片部をディスク回りに螺旋階段状に連続させた状態に並列させることができて全ての索引片部を外部から明確に認識することができ、目的とするディスクの検索が迅速に且つ確実に行うことができるものである。
【００１９】
なお、上記索引用ラベルを複数枚積層してそのラベル主体の基端を剥離可能に接着剤等によって綴っておくおけば、情報を記録したディスクを上記ディスク収納ケースに収納する毎に、この索引用ラベルの束から一枚宛剥がしてその索引片部に記録した情報を整理するための番号や或いは検索用の記号等を記入することにより、それぞれのディスク上に直ちに配置させることができるばかりでなく、既に情報を記録済の複数枚のディスクを上記ケース内に積層状態で収納している場合には、これらの全てのディスクを外部から容易に検索可能な状態となるように整理することができる。
【発明を実施するための最良の形態】
【００２０】
次に、本発明の具体的な実施の形態を図面について説明すると、図１は索引用ラベルＡの平面図、図２は複数枚の索引用ラベルＡを綴った状態の斜視図、図３は使用状態を説明するための斜視図であって、索引用ラベルＡは長さがコンパクトディスク（ＣＤーＲ）やディジタルビデオディスク（ＤＶＤ）などの光ディスク（以下、単にディスクＤとする）の半径（６０ｍｍ）よりも長く且つ直径よりも短い長方形状の紙片からなるラベル主体１の長さ方向の一端部（以下、基端部とする）に、後述するディスク収納ケース10における底板11の中央部に上方に向かって垂直に突設したディスク積層用の支柱体12に抜き取り可能に挿通させる係合孔２を設けていると共に、上記支柱体12にディスクＤと共にラベル主体１を積み重ね状態で配設した際におけるディスクＤから外方に突出するラベル主体１の先端部を収納ケース10内に積層されているディスクＤの外周端面に沿って上下方向に折り曲げ可能な索引片部３に形成している。
【００２１】
具体的には、索引用ラベルＡは、ラベル主体１の長さが９０ｍｍ、幅が３０ｍｍ、係合孔２の直径がディスクＤの中心孔（チャッキングホール）と同径もしくは僅かに大径の１６ｍｍ、索引片部３の長さがディスクＤの厚みである１ｍｍの数倍の１０ｍｍ程度に形成されてあり、さらに、この索引片部３の基端部に両側端面からラベル主体１の幅方向の中央部に向かって３〜５ｍｍ程度の深さで、且つ、ラベル主体１の長さ方向の開口幅が２〜３ｍｍ程度の切欠係止部４、4'を形成している。これらの切欠係止部４、4'において、ラベル主体１の一端側に形成している切欠係止部４は、開口端の縦幅が３ｍｍ程度で奥側の幅が２ｍｍ程度のコ字状に形成されている一方、ラベル主体１の他端側に形成している切欠係止部4'は開口端の縦幅が２ｍｍの横向きＶ字状に形成されてあり、このＶ字状の先端と上記コ字状の切欠係止部４の上端縁間をディスクＤの外周端面に沿って折り曲げ可能な折目５としている。
【００２２】
このように、ラベル主体１の索引片部３の基端にコ字状の切欠係止部４と横向きＶ字状の切欠係止部4'とを形成しているので、後述するように、収納ケース10内において上下に重なり合った隣接するディスクＤ、Ｄ上にそれぞれの索引用ラベルＡ、Ａを配設してディスクＤから突出する索引片部３、３を下方に折り曲げると共に互いに周方向に並設した状態で対向する索引用ラベルＡ、Ａの切欠係止部４、4'を係合させて際に、上側に配設している索引用ラベルＡの索引片部３が下側に配設している索引用ラベルＡの索引片部３に対して一枚のディスクＤの厚み分だけ上方に変位した状態で係止させるように構成しているが、これらの切欠係止部４、4'の形状としては上記コ字状や横向きＶ字状以外の互いに係止可能な形状に形成しておいてもよい。
【００２３】
なお、このように構成している索引用ラベルＡは、図２に示すように、複数枚、積層して全ての索引用ラベルＡのラベル主体１の基端部を接着剤、或いは、粘着剤により剥離可能に綴って束にしておき、使用に際して順次、一枚宛、剥離するように構成しておくことが好ましい。
【００２４】
一方、索引用ラベルＡによって整理や検索等を可能にするための積層ディスクＤを収納した収納ケース10は、一般的に知られている市販のケースであって、例えば、上記図３、図６に示すようにディスクＤよりも大径の円盤形状の硬質合成樹脂製の底板11と、この底板11の中央部に上方に向かって垂直に突設している一定長さ（高さ）を有する硬質合成樹脂製の支柱体12と、この支柱体12に中心孔ｄ（チャッキングホール）を挿通させた状態で底板11上に積み重ねられた複数枚の積層ディスクＤを被覆して底板上11上に取り外し可能に配設する截頭円錐形状に形成された透明な合成樹脂製のカバー13とから構成されている構造を有している。
【００２５】
なお、図においては、底板11の中央部に支柱体12を一体的に設けていると共にカバー13はその下端の開口端面を底板11の外周端部上面に受止させた状態で該開口端面の内面に内方に向かって突設している係止片13a を、底板11の外周端部上面においてカバー13の内周面に沿って円弧状に突設している突条部11a の外周面下端に形成した水平係合溝11b に係脱可能に係止させることにより取り外しを可能にしているが、上記支柱体12の先端部に螺子部を形成しておく一方、カバー13の天板部中央に該螺子部を挿通させる孔を穿設しておき、カバー13を底板11上に被せてその孔から支柱体12の上端螺子部を突出させた状態で該螺子部にナットを螺締することによりカバー13を取り外し可能に構成している市販のケースであってもよく、また、支柱体12は底板11と別体に形成してその下端を底板11の中心部に着脱自在に立設、固定するように構成しているケースであってもよい。
【００２６】
上記実施の形態においては、索引用ラベルＡのラベル主体１の形状を長方形状に形成しているが、図４に示す索引用ラベルA'は、ラベル主体1'をディスクと同大、同形の円形シートによって形成し、その中心部に、ディスク収納ケース10における底板11の中央部に上方に向かって垂直に突設した上記ディスク積層用の支柱体12に抜き取り可能に挿通させる係合孔２を設け、さらに、その外周端の一部分に上記長方形状の索引用ラベルＡと同一形状、同一構造の索引片部３を外方に向かって突設してなる構造としている。
【００２７】
この円形状のラベル主体1'は、ディスクＤと同一径に形成されてあり、その索引片部３の基端部には長方形状の索引用ラベルＡにおける索引片部３の基端部に設けている切欠係止部４、4'と同一形状、同一構造の索引片部３を設けている。この場合、ラベル主体1'は円形状に形成されているので、コ字状の切欠係止部４と横向きＶ字形状の切欠係止部4'とにおけるラベル主体1'側の連なる内側端縁をこのラベル主体1'の周端面によって形成してあり、これらの切欠係止部４、4'の先端間をディスクＤの外周端面に沿って折り曲げ可能な折り目としている。なお、この索引片部３の大きさは、長方形状の索引用ラベルＡにおける索引片部３と同様にその横幅が３０ｍｍで、縦幅が１０ｍｍ程度の横長長方形状に形成されているが、切欠係止部４、4'の形状としては上記コ字状や横向きＶ字状以外の互いに係止可能な形状に形成しておいてもよい。
【００２８】
次に、上記索引用ラベルＡ、A'の使用態様を説明すると、音楽や映像等の情報を記録したディスクＤを市販の上記収納ケース10内に収納したのち、このディスクＤ上に、該ディスクＤに記録されたいる情報を整理するための整理番号や情報の見出し用語句、或いは、検索するための記号６等（以下、索引用事項６とする）を索引片部３に記載した索引用ラベルＡ又はA'を重ね合わせる。収納ケース10内への該ディスクＤの収納は、その中心孔ｄをケース底板11の中央部から上方に立設している支柱体12に挿通させて、先に収納している記録済みのディスクＤ上に、該ディスクＤの索引用事項６をその索引片部３に記載している索引用ラベルＡ又はA'を介して重ね合わせることにより行われる。
【００２９】
同様に、索引片部３にこのディスクＤの索引用事項６を記入した上記索引用ラベルＡ又は索引用ラベルA'のラベル主体１、1'の基端部に設けている係合孔２を支柱体12に挿通させながらこのディスクＤ上に載置すると、上記索引片部３がディスクＤの外周端面から外方に突出した状態となる。しかるのち、この索引用ラベルＡ又はA'の索引片部３を収納ケース10の底板11上に積層しているディスクＤにおける上層側の数枚のディスクの外周端面に沿って下方に折り曲げると、該索引片部３に記載されている索引用事項６が外方に向けた状態となる。
【００３０】
次いで、この索引用ラベルＡ又はA'を収納ケース10の上記支柱体12を中心としてディスクＤ上を周方向に回動させてその索引片部３の一側端面を、このディスクＤよりも先に収納した上記ディスクＤ上の索引用ラベルＡ又はA'の索引片部３の他側端面に突き合わせて両索引片部３、３の対向する切欠係止部４、4'を噛み合い状態に係合させてこれらの切欠係止部４、4'の対向する奥底端を交差状に衝合させる。そうすると、両索引用ラベルＡ、Ａ又はA'、A'の索引片部３、３は互い重なり合う方向に移動するのを阻止された状態で周方向に並列すると共に下側の索引用ラベルＡ又はA'に対して上側の索引用ラベルＡ又はA'がディスクＤの厚み分だけ上方に向かって段状に変位した状態となる。
【００３１】
このように、収納ケース10内に情報を記録したディスクＤと、索引片部３にこのディスクＤの索引用事項６を記入した索引用ラベルＡ又はA'とを順次、複数枚宛積層し、上下に隣接する索引用ラベルＡ、Ａ、又はA'、A'の周方向に対向する索引片部３、３を上述したように下方に向かって折り曲げた状態にしてその対向する切欠係止部４、4'を順次、係合させていくと、図６に示すように、上下に隣接する索引用ラベルＡ、Ａ又はA'、A'の索引片部３、３は、順次、周方向に連続した状態で並列すると共に、上側の索引用ラベルＡ又はA'の索引片部３が下側の索引用ラベルＡ又はA'の索引片部３よりもディスクＤの厚みに相当する高さだけ上方に段状に変位しながら螺旋状に並列する。従って、全ての索引用ラベルＡ又はA'の索引片部３が全面的に外方、即ち、収納ケース10の支柱体12の長さ方向に直交ないしは交差する外径方向に向けて呈示した状態となって索引片部３に記載された索引用事項６に対応するディスクＤを外部から一目で認識することができる。
【００３２】
さらに、各索引用ラベルＡ又はA'の索引片部３の横幅を３０ｍｍ程度に縦幅をディスクＤの厚みの１０倍程度に形成しているので、周方向に螺旋階段状に並列した複数枚の索引用ラベルＡ又はA'の索引片部３によってディスクＤを一回りする間に、最上層側の索引用ラベルＡ又はA'の索引片部３が索引片部３の上下幅に相当する高さ以上に上方に変位した状態となる。従って、収納ケース10内に数十枚〜１００枚ものディスクＤを各ディスクＤ上に索引用ラベルＡ又はA'を配設した状態で積層しても、全ての索引用ラベルＡ又はA'の索引片部３を、全面的にその表示面を外方に向けて露出させた状態でディスクＤの回りに螺旋階段状に並列させることができる。
【００３３】
このように、収納ケース10の底面11上に情報を記録している多数枚のディスクＤをそれぞれの索引用ラベルＡを介して積層した状態で収納し、透明なカバー13によって被覆しておくと、外部から該透明なカバー13を通じて全ての索引用ラベルＡ又はA'の索引片部３を直視することができ、所望のディスクＤを該索引片部３によって簡単且つ確実に検索することができると共に、カバー13を取り外して該ディスクＤから上方のディスクＤを支柱体12から抜き取ることにより、或いは、該ディスクＤが最下層となるようにこのディスクＤを含めて抜き取ることにより、簡単に所望のディスクＤを収納ケース10から取り出すことができる。
【００３４】
なお、各ディスクＤ上に配設した索引用ラベルＡ又はA'の索引片部３を下方に折り曲げているが、収納ケース10の底板11上に積層する下層側のディスクＤ上の索引片部３は、底板11の存在によって下方に折り曲げが困難となるばかりでなく、カバー13を係止させるために底板11の外周端部における上面に突設している上記突条部11a によって隠蔽されて外部から直視することができなくなる。この問題点を解消するために、図７に示すように、収納ケース10にディスクＤを収納する前に、厚みが１０ｍｍ程度のリング状のスペーサ14を収納ケース10の支柱体12に挿通して底板11の中央部上に載置し、しかるのち、この底板11上に記録したディスクＤをその上面に配設した索引用ラベルＡ、A'と共に順次、重ね合わせて収納するように構成している。
【００３５】
従って、最下層のディスクＤの外周端と収納ケース10の底板11との間に索引用ラベルＡ、A'の索引片部３の縦幅以上に相当する高さを有する空間部が設けられ、該索引片部３を下方に折り曲げて外部に対して明確に呈示させることができる。なお、上記リング状のスペーサ14は、市販のディスク収納ケース内に設けられているディスク押さえを転用することができる。
【００３６】
また、索引用ラベルＡ又はA'は、そのラベル主体１、1'を長方形状又は円形状に形成しているが、基端部に係合孔２を、先端部に索引片部３を設けている構造であれば、どのような形状に形成しておいてもよい。さらにまた、索引片部３の基端部両側に切欠係止部４、4'を形成しているが、この切欠係止部を両側に設けることなく一側部にのみ、即ち、１つだけ設けておいて、該切欠係止部を隣接する索引用ラベルＡ又はA'の索引片部３における真っ直ぐな他側端面に噛み合わせるように係合させてもよい。
【図面の簡単な説明】
【００３７】
【図１】索引用ラベルの平面図。
【図２】複数枚の索引用ラベルを綴った状態の斜視図。
【図３】使用状態を説明するための斜視図。
【図４】本発明の別な索引用ラベルの平面図。
【図５】その使用状態を説明するための斜視図。
【図６】使用状態を示す一部を断面した正面図。
【図７】別な使用の形態を示す一部を断面した正面図。
【符号の説明】
【００３８】
Ａ、A'  索引用ラベル
１、1'  ラベル主体
２  係合孔
３  索引片部
４、4'  切欠係止部
Ｄ  ディスク
10  収納ケース
11  底板
12  支柱体
13  カバー
【要約】
【課題】  ケース内に積層されている記録されたディスクを外部から簡単に検索可能にすることができる積層ディスクの索引用ラベルを提供する。
【解決手段】  円盤形状の底板11と、この底板11の中央部に突設した支柱体12と、透明なカバー13とからなる収納ケース10内に、その中心孔ｄを上記支柱体12に挿通させた状態で積層されるディスクＤの索引用ラベルＡであって、ディスクＤの半径よりも長い長方形状のラベル主体１の基端部に上記支柱体12に平面方向に回動自在に挿通、支持させる係合孔２を設けていると共にディスクＤから突出する先端部をディスクＤに記録された情報の索引片部３に形成してなり、上下に隣接するディスクＤ上の索引用ラベルＡ、Ａの索引片部３、３を互いに周方向に並設して外方に向かって表示するように構成している。
【選択図】    図３【図１】
0004056554.tif 000002
【図２】
0004056554.tif 000003
【図３】
0004056554.tif 000004
【図４】
0004056554.tif 000005
【図５】
0004056554.tif 000006
【図６】
0004056554.tif 000007
【図７】
0004056554.tif 000008